(57)【要約】【課題】  水着や肌露出部の多い衣服などの着用時に、略全身を包み紫外線による素肌の日焼け防止を図り、着替えを簡単に行うことができ、また、一重と二重に変換して着用可能とし、使用場所・状況に応じて使い分けることができる。【解決手段】  紫外線の透過を抑制する布地で作成した着用者の略全身を包みうる丈の筒状着衣１であって、前記筒状着衣は、該筒状着衣の上部側の左右両側に設けられた一対の第１の手通し口２と、該筒状着衣の下部側の左右両側に設けられた一対の第２の手通し口３とを有し、該第１の手通し口と第２手通し口を、筒状着衣を折り重ねて二重としたとき合致する位置に設け、筒状着衣を一重又は二重に変換して着用可能とした。【選択図】  図１
2005139597.tif 000002
【特許請求の範囲】
【請求項１】
紫外線の透過を抑制する布地で作成された着用者の略全身を包みうる丈の筒状着衣であって、
前記筒状着衣は、該筒状着衣の上部側の左右両側に設けられた一対の第１の手通し口と、該筒状着衣の下部側の左右両側に設けられた一対の第２の手通し口とを有することを特徴とする日焼け防止用着衣。
【請求項２】
前記第１の手通し口および前記第２の手通し口は、該第１の手通し口と該第２の手通し口間にて前記筒状着衣の上部側を下部側の内側又は外側に折り重ねて二重としたとき、前記第１の手通し口と前記第２の手通し口を合致させることが可能な位置に設けられている請求項１に記載の日焼け防止用着衣。
【請求項３】
前記第１の手通し口と該筒状着衣の上端間の前記筒状着衣の長さは、着用者の首回り、肩および胸元上部を被覆可能な長さとなっている請求項１又は２に記載の日焼け防止用着衣。
【請求項４】
前記第１の手通し口と前記第２の手通し口間にて前記筒状着衣の上部側を下部側の内側又は外側に折り重ねて二重とし、かつ、前記第１の手通し口と前記第２の手通し口を合致させた状態における折り重ね辺と前記手通し口間の長さは、着用者の首回り、肩および胸元上部を被覆可能な長さとなっている請求項２に記載の日焼け防止用着衣。
【請求項５】
前記第１の手通し口と該筒状着衣の上端間の長さと前記第２の手通し口と該筒状着衣の下端間の長さとは、略同じ長さとなっている請求項１ないし４のいずれかに記載の日焼け防止用着衣。
【発明の詳細な説明】
【技術分野】
【０００１】  この発明は、身体の肌の太陽光の紫外線による日焼けを抑制し、肌の保護をする日焼け防止用着衣に関するものである。
【背景技術】
【０００２】  従来、海浜、プールサイド等において、水着や肌の露出の多い衣服のままでは太陽光の紫外線を受けて日焼けをし、素肌を痛めるので、水着や肌の露出の多い衣服の上からタオルや簡単な上着などを羽織り、日焼けを防ぐことが行われている。
日焼けは、色白を好む女性にとっては美容上大きな問題であり、また、日焼けは、シミ、あざ、皮膚がん等の原因になるとされている。それ故、日焼けを防ぐため、紫外線を抑制する効果のある繊維が色々開発され、これらの繊維を使用した海水浴用日焼け防止肌着が提案されている（例えば、特許文献１参照。）。
また、海浜等において羽織ったり、濡れた身体を拭くのに使用する海浜用上衣（例えば、特許文献２参照。）、或いは、ビーチコートとしての使用と脱衣用の覆いとして使用しうる多種の用途を有するビーチコートが提案されている（例えば、特許文献３参照。）。【０００３】
【特許文献１】        実開平３−４５９１２号公報
【特許文献２】        実開昭４７−０３０６８７号公報
【特許文献３】        実開昭５０−１５４１０４号公報
【発明の開示】
【発明が解決しようとする課題】
【０００４】  特許文献１の海水浴用日焼け防止用肌着は、太陽光線中における紫外線の大部分を遮断できる紫外線の透過率が低い布で作成した肌着で、肌着で覆われるところは日焼けを防ぐことができるが、露出する首回り、襟足、胸元、脚等の日焼けを防ぐことはできず、また、特許文献２の海浜用上衣では、タオル地よりなる所定形状の布地に腕挿入用の２個の孔を設けただけで、プール、海浜で着用するもタオル地では全身の日焼けを防ぐことはできず、さらに、特許文献３の多種の用途を有するビーチコートも、タオル地であるから全身の日焼けを防ぐことはできず、またビーチコートは両側縁に閉止具を逢着する必要があり、更衣時にはその都度閉止具を閉じて筒状としなければならないので不便であり、しかも水着、下着などの着替えの際に閉止具を閉じて筒状としたとき、手をコートの外側より中に入れることができないので、着替えがしにくく不便であった。【０００５】  この発明は、上記の問題点に鑑みて発明されたもので、水着や肌の露出の多い衣服等の着用時に、その上から筒状着衣の上部側の左右両側と、下部側の左右両側に設けた第１と第２の手通し口を利用して着用し、太陽光の紫外線による素肌の日焼けを防止し、着替えに便利とすることを目的とするものである。また、前記筒状着衣を一重と二重に変換して着用できるようにし、使用場所・状況に適応できるようにすることを目的とする。
【課題を解決するための手段】
【０００６】  この発明の請求項１の日焼け防止用着衣は、紫外線の透過を抑制する布地で作成された着用者の略全身を包みうる丈の筒状着衣であって、
前記筒状着衣は、該筒状着衣の上部側の左右両側に設けられた一対の第１の手通し口と、該筒状着衣の下部側の左右両側に設けられた一対の第２の手通し口とを有することを要旨とする。【０００７】  この発明の請求項２の日焼け防止用着衣は、請求項１において、前記第１の手通し口および前記第２の手通し口は、該第１の手通し口と該第２の手通し口間にて前記筒状着衣の上部側を下部側の内側又は外側に折り重ねて二重としたとき、前記第１の手通し口と前記第２の手通し口を合致させることが可能な位置に設けられていることを要旨とする。【０００８】  この発明の請求項３の日焼け防止用着衣は、請求項１又は２において、前記第１の手通し口と該筒状着衣の上端間の前記筒状着衣の長さは、着用者の首回り、肩および胸元上部を被覆可能な長さとなっていることを要旨とする。【０００９】  この発明の請求項４の日焼け防止用着衣は、請求項２において、前記第１の手通し口と前記第２の手通し口間にて、前記筒状着衣の上部側を下部側の内側又は外側に折り重ねて二重とし、かつ、前記第１の手通し口と前記第２の手通し口を合致させた状態における折り重ね辺と前記手通し口間の長さは、着用者の首回り、肩および胸元上部を被覆可能な長さとなっていることを要旨とする。【００１０】  この発明の請求項５の日焼け防止用着衣は、請求項１ないし４のいずれかにおいて、前記第１の手通し口と該筒状着衣の上端間の長さと、前記第２の手通し口と該筒状着衣の下端間の長さとは、略同じ長さとなっていることを要旨とする。【００１１】  この発明の筒状着衣は、紫外線の透過を抑制する加工がされた布地で作成した着用者の略全身を包みうる丈で、上部側の左右両側に一対の第１の手通し口と、該筒状着衣の下部側の左右両側に一対の第２の手通し口とを有するので、水着、衣服等の上から日焼けを防ぐために着用する際、上部側の一対の第１の手通し口から両腕を出して着用すると、首回りから足先までの略全身が包まれ、太陽光の紫外線を抑制して肌の日焼けを防止する。また、水着、下着等の着替えの際には、下部側の一対の第２の手通し口を利用して手を入れて筒状着衣の中で着替えを行う。【００１２】  この発明の筒状着衣は、前記第１の手通し口および前記第２の手通し口は、該第１の手通し口と該第２の手通し口間にて、前記筒状着衣の上部側を下部側の内側又は外側に折り重ねて二重としたとき、前記第１の手通し口と前記第２の手通し口を合致させることが可能な位置に設けられているので、二重の着衣としたとき、内側と外側との第１と第２の手通し口が合致して手を出し入れでき、前記筒状着衣を一重として着ることができると共に、二重に変換して着用することも可能とした。それ故、使用する場所・状況に応じて適宜一重と二重とに変換して着用できる。【００１３】  この発明の筒状着衣は、前記第１の手通し口と該筒状着衣の上端間の前記筒状着衣の長さが、着用者の首回り、肩および胸元上部を被覆可能な長さとなっているので、一重として着用する場合、着用者の首回り、肩、襟元、襟足、胸元、胸などを覆うことができ、太陽光の紫外線に肌が晒されるのを防ぐことができる。【００１４】  この発明の筒状着衣は、前記第１の手通し口と前記第２の手通し口間にて��前記筒状着衣の上部側を下部側の内側又は外側に折り重ねて二重とし、かつ、前記第１の手通し口と前記第２の手通し口を合致させた状態における折り重ね辺と前記手通し口間の長さは、着用者の首回り、肩および胸元上部を被覆可能な長さとなっているので、二重として着用する場合も着用者の首回り、肩、襟元、襟足、胸元、胸などを覆うことができ、太陽光の紫外線に肌が晒されるのを防ぐことができる。【００１５】  この発明の筒状着衣は、前記第１の手通し口と該筒状着衣の上端間の長さと、前記第２の手通し口と該筒状着衣の下端間の長さとは、略同じ長さとなっているので、当該筒状着衣を上下いづれを上にしても着用することができ、また、二重にして上部側と下部側の丈を合わせると第１と第２の手通し口が容易に合致し二重にして着用できる。
【発明の効果】
【００１６】  この発明の筒状着衣によれば、紫外線の透過を抑制する布地で作成したので、水着、衣服等の上から着用すると、着用者のほぼ全身が包まれ、太陽光の紫外線を抑制して首回りから足先までの肌の日焼けを防止することができ、また、着替えの際には、下部側の左右両側の第２の手通し口を利用して、左右から手を入れて筒状着衣の中で着替えを行うことができるので、更衣室がない所でも簡単に着替えができ便利である。この発明の筒状着衣は簡単に着たり脱いだりすることができるので、着用することにより略全身の肌の日焼けを防ぎ、着用しないでマフラーのように肩に掛けたり、首回りに巻き付けることにより、肩、首回り、襟元の日焼けを防止し、太陽光に晒されない場所においては、脱いで折り畳んでおけばよく使い勝手がよい。【００１７】  この発明の筒状着衣によれば、前記第１の手通し口および前記第２の手通し口は、前記筒状着衣を二重としたとき、第１の手通し口と第２の手通し口が容易に合致するので、手を出し入れする手通し口が形成され、両腕を通して着用すると、上半身を覆う上着のように使用できる。そして、前記筒状着衣を一重の着衣と二重の着衣に変換することが簡単にできるので、使用する場所・状況に応じて使い分けることができ便利である。また、筒状着衣を二重とした場合には、紫外線の透過を一層抑制でき、日焼け防止の効果が高くなる。それ故、使用する場所・状況に応じて適宜一重と二重を使い分けて使用できる。【００１８】  この発明の筒状着衣によれば、第１の手通し口と該筒状着衣の上端間の前記筒状着衣の長さが、着用者の首回り、肩および胸元上部を被覆可能な長さとなっているので、少なくとも着用者の肌を露出する首回り、肩、胸元等にかけうる長さのゆとりがあり、一重として着用する場合は、着用者の首回り、肩、襟元、襟足、胸元、胸などを充分に覆うことができ、太陽光の紫外線に肌が晒されるのを防ぐことができる。【００１９】  この発明の筒状着衣によれば、筒状着衣の上部側を下部側の内側又は外側に折り重ねて二重としたとき、前記第１の手通し口と前記第２の手通し口が合致し、その折り重ね辺から前記手通し口間の長さが、着用者の首回り、肩および胸元上部を被覆可能な長さとなっているので、二重として使用する場合にも着用者の肌を露出する首回り、肩、胸元等を殆ど覆うことができ、太陽光の紫外線に晒されることがなく肌の日焼け防止し、素肌の保護ができるので便利である。【００２０】  この発明の筒状着衣によれば、前記第１の手通し口と該筒状着衣の上端間の長さと、前記第２の前記第２の手通し口と該筒状着衣の下端間の長さとを略同じ長さとしたので、筒状着衣を上下いずれを上にしても着用でき、また、二重にするとき、上部側と下部側の丈を合わせると簡単に第１と第２の手通し口も合致するので、腕を通す手通し口が形成され二重にして着用するとき便利である。
【発明を実施するための最良の形態】
【００２１】  この発明の日焼け防止用着衣を実施するための最良の形態について、図面を参照して詳細に説明する。図１はこの発明の日焼け防止用着衣を示す正面側斜視図、図２は同側面側斜視図、図３は同縦断面図、図４は筒状着衣の着用状態を示す正面図、図５は筒状着衣を着用して上部の折り返し部を留め具で止めた状態の正面図、図６は着衣を肩から胸にかけた状態の正面図、図７は着衣を肩から胸元に交叉状にかけた状態の正面図、図８は二重にした筒状着衣の正面図、図９は同縦断面図、図１０は同一部破断拡大斜視図、図１１は筒状着衣を二重にして着用した状態の正面図である。【００２２】  図１乃至図１０において、１は紫外線を吸収し又は反射させることにより、紫外線の透過を抑制する布地を用い、その布地を使用して着用者の身体の首回りから足先までの略全身を包むことができる丈の長さとした筒状着衣で、該筒状着衣１の上部側の左右両側に一対の第１の手通し口２と、該筒状着衣の下部側の左右両側に一対の第２の手通し口３とが設けらている。この筒状着衣を利用して内部で水着、下着等の着替えをすることができるものであるから、着衣の内部が見えない生地とするのが好ましい。この筒状着衣の長さは着用者の略身長に合う長さ、幅は肩幅より多少広い大きさとする。実施形態では筒状着衣１は２枚の布地を左右両側の上下に円形、楕円形などに開ける適宜形状の手通し口２、３を設けるように逢着して筒状に構成してある。尚、この手通し口はスリット状に形成し、手・腕を通すことができれるようにしてもよい。上側の第１の手通し口２、下側の第２の手通し口３は中央部に対し上下対称位置にあり、かつ、左右も中心線に対称位置に設けられている。上側の第１の手通し口２は腕を通す口で、下側の第２の手通し口３は着替えの際に手を内部に入れるための口として使用する。筒状着衣の第１と第２の手通し口２、３の位置は中央部に対し上下対称位置に設けてあるので、上端又は下端から同じ距離にあり、着衣は上下のどちらを上にしても着用することができる。【００２３】  前記第１の手通し口２と該筒状着衣１の上端間の前記筒状着衣１の長さ、すなわち、第１の手通し口２の上部１ａは、着用者の首回り、肩および胸元上部を被覆可能な長さとす。実施形態では、この第１の手通し口２より着衣の上端までの上部１ａの長さは身体に着用時略頭部まで被る長さとしてある。この長い上部１ａで着用者の首回り、背中、肩、襟元、胸元等、特に肌の露出部の全体を覆うことができ、覆う場合の巻き方として、図４に示すように、上辺を外側へ折り返して後側を背中側、首回りに立てて覆い、前側は折り返すなどして襟元、胸元等に沿って垂らして覆うことができる。布地の上部１ａは広く長いので、前記の巻き方に限らず、着用者は身体の背中側、首回り、襟元、胸元等に自由に寄り合わせて素肌を覆うことができる。
また着衣１の手通し口３の下部１ｂの長さ、すなわち手通し口３より下端までの長さは、着用者の脚、さらには足先まで包むことができる長さとしてある。
実施形態では、前記第１の手通し口と該筒状着衣の上端間の長さと前記第２の前記第２の手通し口と該筒状着衣の下端間の長さは、略同じ長さとして、二重にしたとき、上部側と下部側を合わせると手通し口も容易に合致して手通し口が形成され着用できるようにしてある。また、筒状着衣の上下端、手通し口２、３の回りは縁縫いをしておくのが好ましい。なお、筒状着衣は全体を同一径の筒状とした場合を示したが、これに限られるものではなく、着用者の体型に合うように径を変えることは自由にできる。【００２４】  図８乃至図１０において、該第１の手通し口２と該第２の手通し口３の間において、前記筒状着衣の上部側を下部側の内側又は外側に折り重ねて二重としたとき、前記第１の手通し口２と前記第２の手通し口３を合致させることが可能な位置に設けられ、前記筒状着衣を一重の着衣としたり、二重の着衣に変換して着用可能とされている。
この二重とした筒状着衣４の長さは着用者の略上半身を包む上着のように使用する。前記第１の手通し口２と第２の手通し口３は、着衣１を中央部において上部側を下部側の内側又は外側に折り重ねて二重に折り込むとき同一軸線上で内側と外側の合致しうる位置に設けられている。第１の手通し口２と第２の手通し口３は着衣を二重にするとき合致し、腕を出すことができるように同じ大きさとするのが好ましい。
前記第１の手通し口２と前記第２の手通し口３の間において、前記筒状着衣１の上部側を下部側の内側又は外側に折り重ねて二重とし、かつ、前記第１の手通し口と前記第２の手通し口を合致させた状態における折り重ね辺と前記手通し口間の長さ、すなわち、合わせた手通し口から上端までの上部４ａの長さは、少なくとも着用者の首回り、肩および胸元上部を被覆可能な長さとする。この上部４ａは、着衣の第１の手通し口２と第２の手通し口３の間隔を２つ折りした長さとなり、その上部４ａで前記上部１ａと同様に後側を背中側や首回りに立てて覆い、前側は襟元、胸元等に沿って折り曲げ寄り合わせて、露出した肌を覆うようにして使用する。【００２５】  図２および図３に示すように、前記筒状着衣１は長いので、その下部の裾部には、縦に適宜の長さの１又は複数のスリット５を入れて着用時に歩きやすくするのが好ましい。このスリット５は着衣の両側の下端より第２の手通し口３近くまで設けられる。実施形態ではスリット５を着衣の裾の両側に設ける場合を示したが、これに限られるものではなく、例えば後部の中央に設けても良く、また、該スリット部分にはボタン、チャック等を設けて適宜開閉可能にすることもできる。
また、筒状着衣１の上部１ａには、着用者の首、背中、肩、襟元、胸元等を覆った上部の布地を留める手段として、例えば、その前面適所にホック、マジックテープ等留め具６を備える。図５に示す実施例では、着衣の前面上端近くにホック６を設け、着衣の上部の前側を斜めに引っ張ってそのホックを着衣の胸の位置に設けたホックに嵌めて止めるようにした場合を示し、胸元、胸等を覆って胸前で止めるようにしてある。【００２６】  図４および図５に示すように、この発明の筒状着衣を一重の筒状として使用する場合について説明すると、海浜、プールサイド等紫外線を受ける場所において、水着、或いは肌露出部の多い衣服で遊び、休憩、散歩などする場合には、筒状着衣１をワンピースのように着用して肩から足先までの略全身を包むことができるので、太陽光の紫外線を抑制して肌の日焼け防止ができ、特に女性にとって露出する素肌の日焼けを防止できるので利用価値が高い。
また、この着衣の上下の両側に第１の手通し口２、第２の手通し口３を設けたので、水着、下着等の着替えの際には、下側の第２の手通し口３を利用して内部に手を入れて筒状着衣の中で着替えを行うことができるので更衣室等がなくても簡単に着替えができ便利で使い勝手が良い。
さらに、筒状着衣の第１の手通し口２より上部１ａは、着用者の首回り、肩および胸元上部にかけうる長さとしたので、上部の布地を利用して着用者の背中側、両肩側の首回り、襟元、胸元、胸などの肌露出部を覆い隠し、太陽光の紫外線に晒されるのを遮り肌の日焼け防止ができる。
図６、図７に示すように、筒状着衣をそのまま、或いは折り畳んで首回りに巻き肩から胸にかけて垂らし、或いは胸元で交差状に組み合わせて使用してもよく、着用者の背中側、両肩側の首回り、胸等の肌露出部が太陽光の紫外線に晒されるのを遮り肌の日焼け防止ができる。
また、筒状着衣は簡単に着たり説いだりすることができるので、太陽光に晒されない場所においては、脱いで折り畳んでおけばよく、また小さく折り畳んで持ち運びできるので使い勝手もよい。【００２７】  図１１に示すように、筒状着衣を二重として使用する場合を説明する。簡状着衣１の中央部より、例えば筒状着衣の上部側を下部側の内側に折り込み、前記第１の手通し口２、第２の手通し口３を内外に合わせて二重の筒状着衣４とし、合わせた内外の手通し口２、３に腕を通して着用し、上部４ａは背中側、首回りに立てて覆い、前側は襟元、胸元等に沿って折り曲げて覆うようにする。筒状着衣を二重とすると上着を着たようになり、水に浸かるとき、水遊びをするとき等、肩・首回り、胸元の日焼けを防ぐことができ、また、二重にしたことにより、紫外線をより一層遮断することができる。そして、自動車に乗るときなど上半身に強い日差しが当たるような場合に、これを上半身に着用して日焼け防止を図ることもできる。【００２８】  以上この発明を実施するための最良の形態について説明したが、この発明はこうした実施の形態のものに何等限定されず、この発明の要旨を逸脱しない範囲において種々なる形態で実施しうることは勿論である。
【図面の簡単な説明】
【００２９】
【図１】  この発明の日焼け防止用着衣を示す正面側斜視図である。
【図２】  同側面側斜視図である。
【図３】  同縦断面図である。
【図４】  筒状着衣の着用状態を示す正面図である。
【図５】  筒状着衣を着用して上部の折り返し部を留め具で止めた状態の正面図である。
【図６】  着衣を身体にかけた状態の正面図である。
【図７】  身体にかけた着衣を留め具で交叉状に止めた状態の正面図である。
【図８】  二重にした筒状着衣の正面図である。
【図９】  同縦断面図である。
【図１０】  同一部破断拡大斜視図である。
【図１１】  二重にした筒状着衣を着用した状態の正面図である。
【符号の説明】
【００３０】１  筒状着衣
１ａ  第１の手通し口の上部
２  第２の手通し口
３  第２の手通し口
４  二重の筒状着衣
４ａ  手通し口の上部
５  スリット
【図１】
2005139597.tif 000003
【図２】
2005139597.tif 000004
【図３】
2005139597.tif 000005
【図４】
2005139597.tif 000006
【図５】
2005139597.tif 000007
【図６】
2005139597.tif 000008
【図７】
2005139597.tif 000009
【図８】
2005139597.tif 000010
【図９】
2005139597.tif 000011
【図１０】
2005139597.tif 000012
【図１１】
2005139597.tif 000013